(57)【要約】  反応性ラベルは、ラベル付き製品の購入を考えている時にラベルを精読する買い物客に反応することが可能である。ラベルは、センサ（８、９）及びディスプレーユニット（５）を含み、並びに内蔵された蓄電池又は光起動電池（７）によって電力供給される。センサは、ＬCＤスクリーン上などに情報を順次表示することによって、買い物客にＲＯＭからの追加情報を提供するタイマーを備えてもよい。センサはまた、毛髪反射率などの因子を測定し、並びに製品（例えば、それがシャンプーの場合）の個人的使用に関する適合性を買い物客に情報提供し得る光学センサを備えてもよい。反応性ラベルは、製品の個人専用化の従来では達成できなかった感覚を買い物客に与え、これによって、製品に対するロイヤルティー及び製品の信頼性を強化する。
2013513433.tif 000002
【特許請求の範囲】
【請求項１】
反応性ラベルを含むパッケージ製品であって、前記反応性ラベルがディスプレー、制御論理回路及び入力センサを含み、前記入力センサ及び前記制御論理回路との相互作用に従って前記ディスプレーを変更するよう適応されている、パッケージ製品。
【請求項２】
前記ディスプレーの変更が、前記ディスプレーに表示された情報の少なくとも一部分の言語を変更することを含む、請求項１に記載のパッケージ製品。
【請求項３】
前記ディスプレーの変更が、アイコン、文章、又は絵図のような前記ディスプレーの一部分を非表示にすること、前記パッケージ製品がその上で使用され得る基板に関する指示を改善すること、基板上の前記パッケージ製品の使用法に関する指示を改善すること、購入のためにより適切であり得る前記パッケージ製品の類別内の他の異なる製品を確認すること、購入のために、前記パッケージ製品の類別の外側の製品を確認すること、前記パッケージ製品又は他の製品の購入のために値引きを行うこと、買い物客にロイヤルティープログラムに関する情報を提示すること、ウェブサイト、文献、又は視覚メディア発信源などのような追加の製品情報の発信源を確認すること、及びこれらの組み合わせから選択される項目を含む、請求項１に記載のパッケージ製品。
【請求項４】
前記入力センサが、前記パッケージ製品の使用目的に関する情報を提供し、前記ディスプレーが、前記提供された情報に従って変更される、請求項１に記載のパッケージ製品。
【請求項５】
前記パッケージ製品のパッケージが、キーボード及び／又は無線入力ボタンを更に含む、請求項１に記載のパッケージ製品。
【請求項６】
前記パッケージ製品のパッケージが、スピーカー駆動体を更に含む、請求項１に記載のパッケージ製品。
【請求項７】
前記パッケージ製品のパッケージが、マイクロホンを更に含む、請求項１に記載のパッケージ製品。
【請求項８】
前記反応性ラベルの少なくとも一部分が、前記パッケージ製品のパッケージに剥離可能に取り付けられている、請求項１に記載のパッケージ製品。
【請求項９】
前記パッケージに剥離可能に取り付けられた前記反応性ラベルの前記一部分が、スマートクーポンである、請求項８に記載のパッケージ製品。
【請求項１０】
前記パッケージに剥離可能に取り付けられた前記反応性ラベルの前記一部分が、診断の装置である、請求項８に記載のパッケージ製品。
【請求項１１】
前記反応性ラベルが、書き込み可能な記憶素子を含む、請求項１に記載のパッケージ製品。
【請求項１２】
前記反応性ラベルが、待機状態を含む、請求項１に記載のパッケージ製品。
【請求項１３】
前記反応性ラベルが、限定されるものではないが、プルタブ、スイッチ、又は取り外し可能なカバーを備える起動装置を含む、請求項１に記載のパッケージ製品。
【請求項１４】
前記パッケージ製品のパッケージが、調合された製品内の成分の比率を変更するよう適応された目盛付きの調整素子を含み、前記ディスプレーが、前記入力センサの前記入力に従って、設定を指示するよう改善される、請求項１に記載のパッケージ製品。
【請求項１５】
前記パッケージ製品のパッケージが、配合された製品の量を変更するよう適応された目盛付き調整素子を含み、前記ディスプレーが、前記入力センサの前記入力に従って設定を表示するように改善され得る、請求項１に記載のパッケージ製品。
【発明の詳細な説明】
【技術分野】
【０００１】
本発明は、一般的には製品のパッケージング化及びラベル付けに関し、特に潜在的購入者の存在に反応し、その人に特定な情報を提供する電子的に使用可能化されたラベルの使用に関する。
【背景技術】
【０００２】
パッケージ製品の内容物及び有用性を説明するためのラベルの使用は、そのようなパッケージ製品を保持し、ディスプレーするような容器の使用と同じように古い。近代のパッケージング化技術は、不透明かつ密閉された包装媒質内に製品を提示することが多い。製品中に存在し、後に皮膚に適用される種々のオイル、皮膚軟化剤及び防腐剤の特質の買い物客の基礎知識と同様に、例えば製品の色及び芳香のような感覚データが、買い物客にとって重要な要素となり得るような、パーソナルケア及び化粧品のマーケティングにおいて、このことは負の要素となり得る。今日の買い物客は、製品適合性に影響を与える要素を十分に認識していて、製品の購入前に、製品の性質についての可能な限り多くの情報を求めている。
【０００３】
典型的な製品ラベルは、パッケージ製品の固定された、かつ変化しない説明のみを提示する。我々は、このようなラベルを「静的」ラベルと呼ぶことにする。静的ラベルの目的としては、２つの側面がある。第１は、その外観が潜在的消費者の目を引き付けることを意図している宣伝である。典型的には、この機能を果たすために、買い物客が信頼を持ち得る又は持ち得ない並びにひいきにしている又はそうではない特定のブランドを明示するものとして識別可能である絵図内容を、静的ラベルは表示する。
【０００４】
第２は、静的ラベルは、買い物客によって購入が検討されるパッケージ製品の内容物についての情報を伝達する。この情報は、書面による明細の形式であり得、又は絵図でもあり得る。
【０００５】
いくつかのラベル方式は、その宣伝機能を強化するために、ラベル上の実例図にシミュレートされた動作を与えることが可能である。例えば、鳥がその翼をはばたかせるような動く物体の感覚を与えるエッヂ照明画像の列を表示し得るラベルがある。そのような発明は、Ｈａｒｒｙ、Ｂｒｅｎｔ  Ｄ．の米国公開済み特許出願第２００６／０２０７１３４号に開示されている。フィルムの平面に対して見る人の目線の角度に応じてフィルムの近くに配置された数個の異なる独立した画像を表示し得るような、透明なレンズ状の光学フィルムが重ねられたラベルがある。このような多焦点面イラストはまた、見る人が眼を動かしている、又はラベル自体が動いているような動きの錯覚を創り出してもよい。実際には、Ｔｈｏｍａｓらの米国特許第６７９８４０９号に記載されたように、そのような光学的に高性能化されたラベルが、製品周囲の近くを超えて三次元画像を投影させてもよい。それらがより大きな空間的広がりのような動き、アニメーション又は感覚を創出し得るために、我々はこのようなラベルを「動的ラベル」と表すことにする。それらが動作の錯覚や増強された次元性を創り出しているにもかかわらず、このようなラベルの情報内容は固定されている。更には、製品と買い物客との間の情報の伝達が、一方向に設計されているために、これら動的ラベルのいずれも本当の意味で買い物客に対応してはいない。要するに、製品が買い物客にそれが何であるのかを告げるが、買い物客は、製品に彼らが誰であるのかを告げることはできない。ここでは実際に買い物客に反応するラベルを「反応性ラベル」として表すことにして、これは単なるダイナミズムを超えるそれらの特徴を示唆している。本発明が指向していることは、このような反応性ラベルを創り出すことである。
【先行技術文献】
【特許文献】
【０００６】
【特許文献１】米国公開済み特許出願第２００６／０２０７１３４号
【特許文献２】米国特許第６７９８４０９号
【発明の概要】
【発明が解決しようとする課題】
【０００７】
本発明の第１の目的は、買い物客の存在を認識し並びにその基礎知識に応じて提供するよう情報を変更し得る、反応性ラベル及びそのようなラベルを組み込んでいるパッケージ製品を提供することである。
【０００８】
本発明の第２の目的は、その情報内容が静的ではなく、買い物客の特定の特性及びパッケージ製品の特徴への彼らの関連性に機能的に依存するような、反応性ラベル及びパッケージ製品を提供することである。
【０００９】
本発明の第３の目的は、それによってラベルと買い物客との間で伝達される情報が、買い物客がラベル付けされたパッケージ製品と対話する間に変更され得るような論理駆動式フィードバック特性を組み込んだような、反応性ラベル及びパッケージ製品を提供することである。
【００１０】
本発明の第４の目的は、買い物客の特性に対してパッケージ製品内容の個人専用化をすることによって、買い物客のパッケージ製品志向の感覚を増強させるような反応性ラベル及びパッケージ製品を提供することである。
【００１１】
本発明の第５の目的は、それによって、製品の特性と買い物客の個人的特性との間の満足できる適合を判断することによって、買い物客が製品又は製品一式から最適な効果を得ることができるような機構を提供することである。
【００１２】
これら目的は、供給電源、マイクロプロセッサー、ミニチュアセンサ、読み出し書き込み可能メモリー（ＲＡＭ）、ディスプレー情報を含有し並びに動作論理を含有し得る読み出し専用メモリーユニット（ＲＯＭ）、並びに可視の動的ディスプレーを創り出すための電気光学回路のような素子を含有し得る論理駆動式電子有効化ラベルによって達成される。ラベルは、小型可撓性蓄電池、小型光起電力電池、又はＲＦ送信機（例えば店内送信機）からエネルギーを抽出する装置又は周囲の電磁場から（「採取」）エネルギーを抽出する装置のような多種多様な小型可撓性電源によって電力供給される。光起電力電池が電源として使用される場合、広帯域分光感度、若しくは店内周囲ライティング又は屋外太陽光に対して選択的感度のために設計されてもよい。可撓性集積回路パッケージは、参照により本明細書に詳細に援用され、Ａｉｌｅｎ  Ｔｅｃｈｎｏｌｏｇｉｅｓに譲渡された、Ｊａｃｏｂｓｅｎらの米国特許第６４６８６３８号に記載されたウェブ加工相互接続方法のような自己構築技術を使用して組み立てられてもよい。このような全てを包含する組み立て方法は、低コスト巻き返し現像処理における、センサ、半導体ロジック及び読み出し書き込み可能メモリー（ＲＡＭ）が埋め込まれた「スマートフレキシブル背面板」を生成するために使用されてもよい。ＲＡＭは、買い物客に提示される特定の情報と、センサ入力と組み合わされてどのような情報が与えられるべきかを判断する論理の双方を含有する。例えば、その両者共に参照により本明細書に詳細に組み込まれた、Ｄｏａｎｅらの米国特許第７２３６１５１号に開示されたような可撓性の印刷可能なカラーディスプレー技術、並びに米国公開済み特許出願第２００４／００１７５２４号で構造化及び教示された印刷可能な太陽電池技術と組み合わされた場合、周囲光の異なる強度を感知し得、近傍の買い物客の存在を感知し得、それが拾い上げられたとき及び／又はその環境を感知し得、並びにそのディスプレーをそれに応じて変化させ得るような周囲光に電力供給されたラベルをもたらしてもよい。
【図面の簡単な説明】
【００１３】
【図１】本発明の代表的な動的ラベルの、その外観を示している略図である。
【図２】構成成分及びそれらの相互接続を示している、図１のラベルを実装するブロック図の略図である。
【発明を実施するための形態】
【００１４】
本発明の実施形態は、買い物客とラベル付けされた製品との間の情報の論理及びセンサ駆動式フローを提供する反応性ラベルである。個々のラベルは、買い物客がパッケージ製品と対話し、パッケージ製品の特徴及び最適な使用について種々の個別化された情報を得ることが可能であるセンサ有効化された小型化可撓性電子回路を組み込んでいる。
【００１５】
先ず初めに図１を参照すると、本発明の実施形態の略図が示されている。電子有効化反応性ラベル１が、代表的なボトル３に貼付されて示されていて、ここで示されたように、ラベルは箱の内側にあっても、店内で箱から出した状態で表示されても、いずれでもよい。
【００１６】
一見しただけでは、反応性ラベルは、通常の静的ラベルと同様な外観のように見える。それは、全ての条件下で見ることが可能で並びに電力を必要としない静的ディスプレーユニット５を含む。本実施例では、静的部分はボトル内容物を表示するために単に「シャンプー」などと表示してもよい。反応性ラベル１は、テキスト６ｂのラインを表示するために、絵図的表現６ａを表示するのに適切な部分並びに文章６ａを表示する別個の部分の両方、又は同一部分を包含する動的部分６を含む。これらの潜在的に電力を消費する領域は、より綿密に調べるためにボトルを持ち上げる、又は後に簡単に説明されるようにレベルに含まれるセンサを使用するような買い物客の特定の動作によって起動される。ディスプレーユニット６ａ、６ｂは、小型ＬＣＤスクリーン、又は上記の米国公開済み特許出願第２００６／０２０７１３４号でＨａｒｒｙによって提供されたような一連のエッヂ照明パネルであり得る。ディスプレー技術の選択は、電力消費配慮並びに表示される材料の性質、例えばカラーの絵図的ディスプレー、白黒の絵図ディスプレー、白黒若しくはカラーの文章ディスプレーなどに依存するであろう。
【００１７】
完全に静的なラベルとは異なり、反応性ラベルはまた、可撓光起電力（ＰＶ）電池のストリップであり得る小型電源又はエネルギー源７を含むが、しかしそれは、ラベル表面下に保護的に収納された（交換可能かつ再充電可能な）小型の（可能であれば可撓性の）蓄電池、若しくは上述された種々の他の電源でもあり得る。ラベルの機能性が高電力を必要としないために、典型的には約１．５ボルトのＰＶ電池のストリップで十分なはずである。参照により本明細書に詳細に組み込んだ、Ｋｕｒｔｚら（米国公開済み特許出願第２００８／００４８１０２号）は、本実施形態に適切であろう可撓性かつ印刷可能な電源を開示している。
【００１８】
１つ又はそれ以上の蓄電池を組み込んでいるラベルの一実施形態では、ラベルはスイッチ素子及び／又はスイッチの状態及び回路の完成を変更することによって回路を起動させるための手段を備える起動素子２０を含んでもよい。このような手段は、プルタブ、取り外し可能なカバー、又はこれら選択肢が当業者に既知であるような他のタイプのスイッチを含んでもよい。本実施形態では、パッケージをショッピング環境内に配置する時点にての起動素子の使用は、その時点より前に蓄電池が維持されている限り、その時点にて回路を起動してもよい。本実施形態では、待機状態から起動状態へと変更するために起動素子が使用されるまで、ラベルは待機状態で存在する。待機状態のラベルは、エネルギーをほとんど又は全く使用せず、これにより、１つ又はそれより多くのオンボード電池によって代表される有限資源を保存する。
【００１９】
静的ラベルから更に区別される反応性ラベル１の外観は、例示的目的のために２つが表示されている、１つ又はそれより多くのセンサ８、９の存在である。これらの小型化された、低電力（又は非電力供給）センサは、買い物客の特性、ラベル／製品の組み合わせの所望の性能、並びに製品の特質に適合するであろう。
【００２０】
ラベルのセンサは、パッケージ製品の意図された使用の対象者に関する情報を提供してもよい。非限定的実施例として、製品がシャンプーである場合、１つのセンサ８は、頭髪の反射率に感応するよう作られた簡単な光電池であり得る。分光帯域フィルタが、それを特定の毛髪の色に反応させるために、電池の上部に配置されてもよい。典型的には、シャンプーが毛髪のタイプに従って、展示用棚上に配置されるので、これによって適当なフィルタを備えたラベルの装着も容易に行われる。第２のセンサ９は、買い物客がパッケージを保持する時間の量を記録する簡単なタイマーであり得る。タイマーは、接触、位置変化などに反応する追加のセンサによってそれ自体で起動されてもよい。買い物客がパッケージを検討する時間の長さは、購入への興味の良い指標であり、並びに買い物客が製品についての情報を判断するために注意深くラベルを読み取っている指標でもある。タイマーは、買い物客がより多くの情報を要求していることを論理演算装置に信号を送り得、この時点で、最初は見えなかったＲＡＭからの追加情報を表示するようにディスプレーが変更されてもよい。表示される追加情報は、１つのセンサ８の出力に関連し得る。
【００２１】
本発明の反応性ラベルによって、興味のある買い物客には、パッケージが保持された時間の長さ及びセンサによって検知された情報に依存する、「もっと知りたい」基準で追加の関連情報が表示されてもよい。
【００２２】
ラベルはまた、使用者によって情報がそれに入力され得る小型可撓性キーボード１６を組み込むことができる。ラベルはまた、買い物客又は製品の最終消費者がラベルに情報を入力することが可能な１つ又はそれよりも多くの無線形式ボタン１７を含んでもよい。ボトルは、購入の時点にてデータを提供又は受信するために使用され得る磁気ストライプ又は同種類のもの１５も包含してもよい。磁気ストライプは、ラベルの永久部分にある必要はなく、購入の時点にて取り外され得、又は非作動状態にされてもよい。磁気ストライプの存在はまた、ラベルが追加情報の記憶として使用されることを可能にし、あるいは買い物客についての情報を製造業者のウェブサイト又は製品の業者によって管理されたウェブサイトへダウンロードすることを可能にする。
【００２３】
ラベルは、高周波電磁エネルギーを使用して読み取り又は書き込まれ得る記憶素子１９を更に含む。このような素子は、ラベル内の製品又は買い物客についての情報を記憶する追加的手段を提供する。
【００２４】
ここで図２を参照すると、好ましくは可撓性２基板上に組み立てられた集積回路の簡略化したブロック図が示されていて、これは本発明の目的を満足し得るものである。本回路は、図１の反応性ラベルの電子部分であって、並びに本発明の一態様によると、ラベルの一体部分を形成するために、ラベル内に封入されている。基板上の回路素子の配置は重要ではないが、ラベル、更には本明細書に記載されたような当業者に既知である全ての個々の回路成分が必要とする空間を確保するような配置であると考えられる。可撓性基板は、論理演算装置及びキーボードのような別個のユニットを組み込むことができ、並びに上記のＤｏａｎｅらの米国特許第７２３６１５１号、Ｉｓｌａｍｒらの（米国公開済み特許出願第２００４／００１８４２２）で開示された組み立て工程にわたる複数個の技術的方法を使用して基板上にインプリントされた回路及び接続配線もまた有し得ると考えられる。
【００２５】
本回路は、マイクロプロセッサユニット１３を含み、とりわけその役割は、いずれかのセンサ（ここでは８及び９の２つのセンサが示されている）からの入力によって開始された、正確に時系列された一連の操作を提供すること、並びに論理的動作のフローを制御することである。マイクロプロセッサユニットは、好ましくは、ＲＯＭ  １０内又はＰＬＡ（プログラム可能論理配列）（図示なし）のような固定論理の他のソース内に記録された、論理演算のリポジトリへのアクセスを有する。ＲＯＭ  １０は、上述したように、適切なディスプレーユニット６上に文章又は絵図データとして可視的に表示され得る情報もまた記録する。電源又はエネルギー源７は、光起電力電池又は化学的電池のいずれかであり、双方共に当業者に周知である（Ｋｕｒｔｚら参照）。電源の選択は、ディスプレーユニットの電力消費に強く依存するであろうし、同様に、ラベルの寸法並びに表示しようとする情報のタイプにも依存し得る。
【００２６】
ラベルは、マイクロホン１８及び／又は出力スピーカー若しくはスピーカー駆動装置を更に含む。一実施形態では、スピーカー駆動装置は、製品提供の一次又は二次パッケージに連結されてもよい。本実施形態では、スピーカー駆動装置は、パッケージを駆動部品として使用してもよい。この特別な実施形態は、パッケージ内に存在する製品の量に関する可聴式の合図を提供するために使用されてもよい。効果的な空気柱がパッケージ内に存在するために、これが駆動装置の出力にさらされて、製品配量に伴って増加する。生成される出力トーンが、空気柱内の変化に従って変更されるであろう。本実施形態では、製品の消費者が、スピーカーをパッケージの有効寿命を改変させないような特定周波数を出力するように起動させることが可能である。部分的に充填されたパッケージと周波数の組み合わせによって生成された可聴トーンが、パッケージ内の内容物が消費されるに伴って変化するであろう。このことが、製品の消費者が消費するために残っている製品の量を確認するためにパッケージを「ピン（ping）」することを可能にするであろう。スピーカーは、更に、買い物客又は消費者に可聴式情報を提供するために使用されてもよい。
【００２７】
一実施形態では、ラベルのマイクロホンは、買い物客又は消費者がマイクロホンに向かって話すことを介して情報をラベルに提供可能である入力装置として働いてもよい。
【００２８】
その静止フェーズにおいては、パッケージが陳列棚に収納されていて、かつ買い物客の起動がまだ生じていない場合、ラベルは典型的な静的ラベルとしての外観を呈してもよい。一般的には、エネルギーを保存するよう所望される場合には、ラベルのディスプレー部分には、情報は表示されない（図１の６）。実際には、ラベルは、電力が引き出されていない状態では、厳密に「待機状態」の視認性の目的で、別個の静的ラベル５を備えているように見える。あるいは、反応性ラベルのこの「待機状態」部分は、買い物客を引き付けるための動画の絵図的効果などを生み出すが、電力をほとんど引き出していない、図１の動的部分６ａ又は６ｂのいずれかのような動的ラベルであり得る。
【００２９】
以下に、ラベル操作の開始の際に反応性ラベルによって実行される８つの操作（「工程」）の可能な順序が示されている。プロセスは、予測される買い物客が、詳しく調べるためにラベル付きパッケージを取り上げる場合に、買い物客の注意を引き付ける動的ディスプレーによって開始され、継続する。これら工程は、以下に詳細に書き出されている。操作の実際の順序は、製品のタイプ及びラベル内に組み込まれたセンサの性質に依存するものと考えられる。本実施形態では、代表的製品は、「黒色系の毛髪」のためのシャンプーであると推測される。ラベル内に組み込まれた２つのセンサがあり、１つのセンサ８はパッケージを持ち上げること（又は他の場合、パッケージを手で扱う）に反応し、その後操作のセットを開始するタイマーであり、他のセンサ９は、買い物客の毛髪からの周囲光反射に反応する光学センサである（これがシャンプーの例であるため）。
【００３０】
工程１：買い物客の注意を引き付けるための動的ディスプレーが使用される。
【００３１】
工程２：買い物客が精査の目的でパッケージを持ち上げ、タイマー（又はパッケージが手で扱われていることを表示する他のセンサ）に電源が入れられ並びに経過時間が測定される。経過時間が処理装置に伝送される。
【００３２】
工程３：処理装置によって第１の反応をトリガするために十分な時間が経過する。追加の文書メッセージ又はＲＯＭ内に記録された情報の他の形式が表示され、例えば、これが買い物客に彼らの毛髪の近くに光学センサを持っていくよう要求する。
【００３３】
工程４：センサが反射光強度を認知し、論理機構が店内の周囲光と反射光を比較し、並びに買い物客の毛髪に関する反射率を計算する。
【００３４】
工程５：センサが買い物客の身体的特徴を評価できない場合、キーパッドを使用して一連の質問に答えるよう買い物客に依頼するメッセージが現れる。
【００３５】
工程６：計算された反射率、又はキーパッド入力データに基づいて、処理装置がＲＯＭ内に記録された追加情報のディスプレーをトリガし、この追加情報は、この特定の製品が買い物客に適切であるか又は不適切であるかを表示してもよい。
【００３６】
工程７：買い物客が製品をショッピングカート内に配置することで反応し、この時点でタイマーが終結シグナルをプロセッサに送り、電源が切られる。
【００３７】
工程８：支払カウンタにて、必要な場合、買い物客の情報が磁気ストリップを通してアップロードされ得、又は更なる情報が、磁気ストライプ又はラベルに組み込まれた他のアクセス可能なメモリーにダウンロードされ得る。
【００３８】
一実施形態では、ラベル／パッケージの組み合わせは、買い物客が対話式ディスプレー上の無線ボタン、キーボード選択又はどの言語を表示すべきかを判断する音声認識ソフトウェアを使用するマイクロホンを介して複数の中から選択可能であるような、買い物客の複数個の言語のうちのいずれか１つの言語で、提供された情報の全ての記録及び表示を可能とするのに十分なメモリーを含んでもよい。
【００３９】
買い物客は、メモリー内に記録された一連の項目を順次表示するように、ラベルに入力を提供してよい。入力は、ボタン、キーボード、マイクロホン又は他のセンサを介して実行されてもよい。次いで、ラベルの論理が、どの情報が表示されるべきかを判断するために、提供された入力を利用してもよい。このようにして、製品又は関連製品についての追加情報が、買い物客又は消費者に提供されてもよい。
【００４０】
一実施形態では、ラベルの技術が、買い物客が適切な製品を選択することを補助してもよい。ラベルのセンサは、買い物客又は製品の意図された使用に関する環境の属性を判断するために使用されてもよい。このようにして、シャンプーが買い物客の毛髪のタイプ及び毛髪の状態に適切であるかを判断するために、買い物客はラベルを利用してもよい。同様に、買い物客は、スキンケア製品に関して彼らの肌状態又は色を評価し、若しくは製品の選択に先立って、製品が対象とするところの現状を判断してもよい。
【００４１】
一実施形態では、反応性ラベルの一部分及び反応性ラベル全体に至るまで、当業者に既知のように、パッケージに剥離可能に取り付けられてもよい。本実施形態では、パッケージ製品の買い物客又は後続の使用者は、反応性ラベルを取り外してもよい。取り外された反応性ラベルは、パッケージ製品、若しくは無料製品又は関連製品の意図された又は潜在的な使用の対象者を評価するための診断装置として用いられてもよい。反応性ラベルは、対象者を評価する目的のための入力センサを含んでもよく、ディスプレーは、センサ入力に従って選択された製品に関する情報を提供するよう変更されてもよい。
【００４２】
一実施形態では、ラベルセンサは、水状態の指示を提供してよく、この指示は、ディスプレーを介して、製品使用者に用量情報を提供するための根拠として使用されてもよい。例えば、センサは、スイミングプールの水中に存在する塩素又は臭素のような水処理薬品のレベルの指示を提供してよい。この指示されたレベルは、ディスプレーを介して、水処理薬品の適当な用量を表示するために、単独で又は使用者からの他の入力と共に用いられてもよい。
【００４３】
反応性ラベルは、環境因子及び／又は使用者入力に基づいて、調合された製品の変更を可能にするパッケージ内の製品類と共に使用されてもよい。このような実施形態におけるパッケージは、調合された製品内の製品成分の比率又は単位用量として調合された製品の量を変更するよう適応された調整素子２１を含む。調整素子は、他の製品成分と組み合わされる前に、それを通して特定の成分が分配される開口部を変更することによって機能することができ、これによって、それぞれの製品成分の相対的比率を変更する。調整素子は目盛り付きであってもよく、使用者が成分の比を変更することを可能にするスライダスイッチ又は回転可能なホイールのような使用者がアクセス可能な制御装置に機能的に連結されてもよい。ディスプレーは、入力センサ及び／又はキーボード若しくは無線ボタンを介しての使用者からの入力が、制御論理回路によって処理されるため、その入力に基づいて、調整素子に関する所望の設定の指示を使用者に提供するために使用されてもよい。
【００４４】
一実施形態では、入力センサは、その場所にての紫外線露光量の範囲を表示してもよい。この情報は、調合に伴い製品の有効太陽光線保護指数（ＳＰＦ）を上昇又は降下させる製品成分の混合比を調整するために、日焼け止め剤パッケージに貼付するパッケージ設定を製品使用者に提供するよう使用されてもよい。本実施形態では、製品が再適用されるべき場合又は現行の適用下で露光が中止されるべき場合の指示を提供するために、同一のＵＶ源に対するセンサと使用者との同一の広がりを持つ露光が使用されてもよい。
【００４５】
一実施形態では、入力センサは、使用者の息の亜硫酸化合物の存在及び濃度を感知することによって、歯磨剤使用者の口臭の程度の指示を提供してもよい。この情報は、それが分配されると同時に混合される化合物製品のそれぞれの成分の相対比率を変更するために、歯磨剤製品パッケージに貼付される比率設定を決定及び表示するよう使用されてもよい。比率の変更は、製品使用中の亜硫酸化合物の除去により適した混合物をもたらすことが可能である。
【００４６】
一実施形態では、製品は、調合される在庫の芳香の比率を変更することによって、提供される芳香を経時的に変化させる多成分エアーフレッシャーシステムを含んでよい。本実施形態では、ラベルは、製品の使用者が、提供される芳香を単一の好まれる又は所望の芳香に制限することを含む提供される芳香の範囲を変更することを可能としてもよい。本実施形態では、使用者は、必要に応じて、成分の調合比率を拘束するよう、反応性ラベルを介して入力を提供してもよい。
【００４７】
反応性ラベルは、ラベル付き製品又は異なる製品のためのクーポンとして働くようディスプレーを変更してもよく、又は選択された製品に関する情報を単に提供してもよい。
【００４８】
ラベルのディスプレーは、ラベルセンサ若しくは製品の買い物客又は消費者のいずれかによってもたらされた入力に従って、特定の環境下における製品の使用に関する現在の情報に改善されてもよい。ディスプレーは、表示又は非表示アイコン、文書若しくは画像に改善されてもよい。ディスプレーは、提供された入力に従って、関連製品又は異なる製品に関する情報を提供するよう改善されてもよい。ディスプレーは、それらが関連していようがいまいが、パッケージ製品又は異なる製品に関する提案を表示するクーポンとして機能するよう改善されてもよい。関連製品として、初期製品の使用に関連した製品又は初期製品と共に使用され得る製品が挙げられる。紙タオルは表面洗浄製品に関連してもよく、スキンケア製品はシェービング器具と関連してもよく、シャンプーとコンディショナーは互いに関連してもよい。無関連製品は、このような緊密な関連性を有さない。例として、ペットフードオファーは、おむつ購入を伴ってもよい。ディスプレーは、製品の製造業者又はそこで製品が購入されると考えられる小売店のいずれかに関連する買い物客のロイヤルティープログラムに関する情報を提供するよう改善されてもよい。
【００４９】
一実施形態では、小売店の特定情報、又は購入される現在の項目に従って誘導された情報、若しくは買い物客ロイヤルティーデータベース又は小売店に記憶された情報を介しての特定の買い物客に関連する情報に従って誘導された情報を提供するために、ラベルに書き込むラベルライタが小売店の支払いシステムに組み込まれてもよい。
【００５０】
ディスプレーは、インターネットウェブサイトアドレス、他のメディアソース、及び製品又は製品の製造業者に関する他の連絡先の情報などのような追加の情報源に関する情報を提供するよう改善されてもよい。
【００５１】
一実施形態では、ディスプレーは、デジタルカメラなどのようなデジタル画像スキャナーを使用して順次スキャンかつ翻訳される、バーコード又は他の符号化画像を表示するよう改善されてもよい。スキャンされた画像は、使用者が製品に関する追加情報にアクセスすることを提供する通信プロトコル中の入力として働くように翻訳されてもよい。
【００５２】
本明細書に開示される寸法及び値は、列挙された正確な数値に厳しく制限されるものとして理解されるべきでない。それよりむしろ、特に指定されない限り、それぞれのそのような寸法は、列挙された値とその値周辺の機能的に同等の範囲との両方を意味することを意図する。例えば、「４０ｍｍ」として開示された寸法は、「約４０ｍｍ」を意味することを意図する。
【００５３】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。
【００５４】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の「特許請求の範囲」で扱うものとする。
【図１】
2013513433.tif 000003
【図２】
2013513433.tif 000004
【国際調査報告】
2013513433.tif 000005
2013513433.tif 000006
2013513433.tif 000007